(57)【要約】【課題】給湯路に残存する湯を利用した後に、給湯対象部に供給する給湯用水を加熱する給湯運転を再開するときの利便性を高めることができる給湯装置を提供する。【解決手段】給湯装置１の制御装置３０は、操作端末４０又は５０で所定の操作が実行されたとき、給湯対象部２０に供給する給湯用水を熱源機２により加熱することを禁止し、その後、操作端末４０又は５０の操作に依存しない所定の解除条件（給湯回数や、経過時間が所定値に達する等の条件）が成立したとき、熱源機２による給湯用水の加熱の禁止を解除する。【選択図】図１
2020186886.tif 000002
【特許請求の範囲】
【請求項１】
供給される給湯用水を加熱して出湯する熱源機と、該熱源機から出湯する給湯用水を給湯対象部に供給する給湯路と、前記熱源機の運転に関する操作を行い得るように構成された操作端末と、前記熱源機の運転制御を行う機能を有する制御装置とを備える給湯装置であって、
前記制御装置は、前記操作端末で所定の操作が実行されたとき、前記給湯対象部に供給する給湯用水を前記熱源機により加熱することを禁止し、その後、前記操作端末の操作に依存しない所定の解除条件が成立したとき、該熱源機による前記給湯用水の加熱の禁止を解除するように構成されていることを特徴とする給湯装置。
【請求項２】
請求項１記載の給湯装置において、
前記制御装置は、前記操作端末で前記所定の操作が実行されたとき、前記給湯路に、前記熱源機での加熱により温められた残湯が残っているか否かを判断し、その判断の結果が肯定的であることを必要条件として、前記給湯対象部に供給する給湯用水を前記熱源機により加熱することを禁止するように構成されていることを特徴とする給湯装置。
【請求項３】
請求項１又は２記載の給湯装置において、
前記制御装置は、前記給湯用水を前記熱源機により加熱することを禁止した後、前記給湯対象部への給湯用水の供給回数をカウントする機能を有し、前記所定の解除条件は、前記供給回数が所定回数に達するという条件を含むことを特徴とする給湯装置。
【請求項４】
請求項１又は２記載の給湯装置において、
前記制御装置は、前記給湯用水を前記熱源機により加熱することを禁止した後、経過時間を計時する機能を有し、前記所定の解除条件は、前記経過時間が所定時間に達するという条件を含むことを特徴とする給湯装置。
【請求項５】
請求項１又は２記載の給湯装置において、
前記制御装置は、前記給湯用水を前記熱源機により加熱することを禁止した後、前記給湯対象部への給湯用水の供給量を積算する機能を有し、前記所定の解除条件は、該供給量の積算値が所定値に達すると共に、前記給湯対象部への給湯用水の供給が停止されるという条件を含むことを特徴とする給湯装置。
【請求項６】
請求項１〜５のいずれか１項に記載の給湯装置において、
前記操作端末はリモコンであり、前記熱源機から前記給湯対象部に供給する給湯用水の目標温度の設定値を表示可能な表示部を有すると共に、前記目標温度の設定値を前記表示部に表示させる通常モードと、該目標温度の設定値を該表示部に表示させないセーブモードとを有し、前記所定の解除条件が成立したとき、前記通常モードから前記セーブモードに移行するように構成されていることを特徴とする給湯装置。
【発明の詳細な説明】
【技術分野】
【０００１】
本発明は、給湯装置に関する。
【背景技術】
【０００２】
給湯装置では、例えば特許文献１に見られるように、水栓等の給湯対象部に供給する給湯用水を熱源機により加熱する給湯運転を実行した後、熱源機から給湯対象部までの給湯路に残存する湯を有効に利用できるようにしたものが知られている。
【０００３】
上記特許文献１に見られる給湯装置では、給湯運転の終了後に、給湯装置のリモコンの運転スイッチをＯＦＦにした状態で、給湯対象部への通水を行うことで、熱源機での給湯用水の加熱を行うことなく、給湯路に残存する湯を給湯対象部に供給する。そして、この場合、給湯路に残存する湯量をリモコンで表示するようにしている。
【先行技術文献】
【特許文献】
【０００４】
【特許文献１】特開２００２−１８８８６１号公報
【発明の概要】
【発明が解決しようとする課題】
【０００５】
前記特許文献１に見られる技術では、熱源機での給湯用水の加熱を行わずに、給湯路に残存する湯を給湯対象部に供給するために、リモコンの運転スイッチをＯＦＦにするようにしている。この場合、熱源機での給湯用水の加熱を行う給湯運転を再開するためには、リモコンの運転スイッチをＯＮにする必要がある。
【０００６】
しかるに、ユーザは、給湯路に残存する湯を使用した後、リモコンの運転スイッチをＯＮにすることを失念し、該運転スイッチがＯＦＦになったままで、該ユーザ又は他のユーザが給湯運転を再開すべく給湯対象部への通水を開始してしまうことが生じやすい。そして、この場合には、運転スイッチがＯＦＦになっていることにユーザが気づいて、該運転スイッチをＯＮにするまで、加熱されていない給湯用水が給湯対象部に供給されてしまい、ユーザに不快感を及ぼしやすい。
【０００７】
本発明はかかる背景に鑑みてなされたものであり、給湯路に残存する湯を利用した後に、給湯対象部に供給する給湯用水を加熱する給湯運転を再開するときの利便性を高めることができる給湯装置を提供することを目的とする。
【課題を解決するための手段】
【０００８】
本発明の給湯装置は、上記の目的を達成するために、供給される給湯用水を加熱して出湯する熱源機と、該熱源機から出湯する給湯用水を給湯対象部に供給する給湯路と、前記熱源機の運転に関する操作を行い得るように構成された操作端末と、前記熱源機の運転制御を行う機能を有する制御装置とを備える給湯装置であって、
前記制御装置は、前記操作端末で所定の操作が実行されたとき、前記給湯対象部に供給する給湯用水を前記熱源機により加熱することを禁止し、その後、前記操作端末の操作に依存しない所定の解除条件が成立したとき、該熱源機による前記給湯用水の加熱の禁止を解除するように構成されていることを特徴とする（第１発明）。
【０００９】
かかる第１発明によれば、ユーザが前記操作端末で所定の操作を実行すると、給湯対象部に供給する給湯用水を熱源機により加熱することが禁止されるので、該給湯対象部への給湯用水の通水を行うと、熱源機による給湯用水の加熱を行わずに、給湯路に残存する湯（加熱済の給湯用水）を給湯対象部に供給して利用することができる。このため、給湯装置の省エネ効果を高めることができる。
【００１０】
そして、その後は、操作端末の操作に依存しない所定の解除条件が成立したとき、熱源機による給湯用水の加熱の禁止が解除されるので、ユーザは、操作端末で該加熱の禁止を解除するための操作を行わずとも、給湯対象部に供給する給湯用水を加熱するように熱源機の運転を行わせることが可能となる。
【００１１】
よって、本発明によれば、給湯路に残存する湯を利用した後に、給湯対象部に供給する給湯用水を加熱する給湯運転を再開するときの利便性を高めることができる。
【００１２】
上記第１発明では、前記制御装置は、前記操作端末で前記所定の操作が実行されたとき、前記給湯路に、前記熱源機での加熱により温められた残湯が残っているか否かを判断し、その判断の結果が肯定的であることを必要条件として、前記給湯対象部に供給する給湯用水を前記熱源機により加熱することを禁止するように構成され得る（第２発明）。
これによれば、操作端末で前記所定の操作を行っても、前記給湯路に前記残湯が残っていないと判断される状況では、給湯対象部に供給する給湯用水を熱源機により加熱することが禁止されないので、前記所定の操作の実行後でも、給湯対象部に熱源機で加熱された温かい給湯用水を供給することができる。
【００１３】
上記第１発明又は第２発明では、前記制御装置は、前記給湯用水を前記熱源機により加熱することを禁止した後、前記給湯対象部への給湯用水の供給回数をカウントする機能を有し、前記所定の解除条件は、前記供給回数が所定回数に達するという条件を含むという態様を採用し得る（第３発明）。
【００１４】
これによれば、加熱源による給湯用水の加熱が禁止された後、給湯対象部への給湯用水の供給回数が所定回数に達するまでは、熱源機による給湯用水の加熱が禁止された状態で、給湯路に残存する湯を給湯対象部に供給して利用することができる。そして、給湯対象部への給湯用水の供給回数が所定回数に達した後は、操作端末の操作を必要とせずに、自動的に給湯用水の加熱の禁止が解除されるので、給湯用水を加熱するように熱源機の運転を行わせることを円滑に再開できる。
【００１５】
また、上記第１発明又は第２発明では、前記制御装置は、前記給湯用水を前記熱源機により加熱することを禁止した後、経過時間を計時する機能を有し、前記所定の解除条件は、前記経過時間が所定時間に達するという条件を含むという態様を採用することもできる（第４発明）。
【００１６】
これによれば、加熱源による給湯用水の加熱が禁止された後の経過時間が所定時間に達するまでは、熱源機による給湯用水の加熱が禁止された状態で、給湯路に残存する湯を給湯対象部に供給して利用することができる。そして、上記経過時間が所定時間に達した後は、操作端末の操作を必要とせずに、自動的に給湯用水の加熱の禁止が解除されるので、給湯用水を加熱するように熱源機の運転を行わせることを円滑に再開できる。
【００１７】
また、上記第１発明又は第２発明では、前記制御装置は、前記給湯用水を前記熱源機により加熱することを禁止した後、前記給湯対象部への給湯用水の供給量を積算する機能を有し、前記所定の解除条件は、該供給量の積算値が所定値に達すると共に、前記給湯対象部への給湯用水の供給が停止されるという条件を含むという態様を採用することもできる（第５発明）。
【００１８】
これによれば、加熱源による給湯用水の加熱が禁止された後、給湯対象部への給湯用水の供給量の積算値が所定値に達すると共に、給湯対象部への給湯用水の供給が停止されるという条件が成立するまでは、熱源機による給湯用水の加熱が禁止された状態で、給湯路に残存する湯を給湯対象部に供給して利用することができる。そして、上記条件が成立した後は、操作端末の操作を必要とせずに、自動的に給湯用水の加熱の禁止が解除されるので、給湯用水を加熱するように熱源機の運転を行わせることを円滑に再開できる。
【００１９】
また、上記第１〜第５発明では、前記操作端末はリモコンであり得る。この場合、該操作端末は、前記熱源機から前記給湯対象部に供給する給湯用水の目標温度の設定値を表示可能な表示部を有すると共に、前記目標温度の設定値を前記表示部に表示させる通常モードと、該目標温度の設定値を該表示部に表示させないセーブモードとを有する場合には、前記所定の解除条件が成立したとき、前記通常モードから前記セーブモードに移行するように構成されていることが好ましい（第６発明）。
【００２０】
ここで、熱源機による給湯用水の加熱が禁止された状態で、給湯路に残存する湯を給湯対象部に供給することが実行された場合には、通常、その後、しばらくの間、給湯用水を加熱するように熱源機の運転を行うことが要求されない。そこで、第５発明では、前記所定の解除条件が成立したとき、前記通常モードから前記セーブモードに移行させるようにリモコンを構成した。このため、セーブモードによるリモコンの消費電力の低減を、適切なタイミングで行うようにすることができる。
【図面の簡単な説明】
【００２１】
【図１】本発明の実施形態の給湯装置の全体構成を示す図。
【図２】実施形態の給湯装置の熱源機の作動制御に関する制御処理を示すフローチャート。
【図３】第１実施形態での残湯利用モードのＯＮ／ＯＦＦの設定処理を示すフローチャート。
【図４】第１実施形態の給湯装置の作動を説明するためのタイミングチャート。
【図５】第２実施形態での残湯利用モードのＯＮ／ＯＦＦの設定処理を示すフローチャート。
【図６】第２実施形態の給湯装置の作動を説明するためのタイミングチャート。
【図７】第３実施形態での残湯利用モードのＯＮ／ＯＦＦの設定処理を示すフローチャート。
【図８】第３実施形態の給湯装置の作動を説明するためのタイミングチャート。
【図９】第４実施形態での残湯利用モードのＯＮ／ＯＦＦの設定処理を示すフローチャート。
【発明を実施するための形態】
【００２２】
［第１実施形態］
本発明の第１実施形態を図１〜図４Ｂを参照して以下に説明する。図１を参照して、本実施形態の給湯装置１は、給湯用水を加熱して出湯する運転（以降、給湯加熱運転という）を行い得る熱源機２を備える。この熱源機２には、水道水等の給湯用水を熱源機２内に供給する給水路１０と、熱源機２内で加熱した給湯用水（湯）を台所、浴室等の給湯対象部２０に供給する給湯路１１とが接続されている。
【００２３】
そして、熱源機２内には、給水路１０により供給される給湯用水を加熱するための加熱装置１２が搭載されている。該加熱装置１２は、燃焼式の加熱装置であり、加熱部としてのバーナ１３と、バーナ１３の燃焼熱により加熱される熱交換器１４と、これらのバーナ１３及び熱交換器１４を内部（燃焼室）に収容した燃焼筐１５とを備える。燃焼筐１５には、バーナ１３に燃焼用空気を供給する電動式の燃焼ファン１６が取り付けられている。また、燃焼筐１５には、バーナ１３の燃焼運転により生成される燃焼排ガスを屋外に導出する排気通路１５ａが接続されている。
【００２４】
バーナ１３は、例えばガスバーナである。このバーナ１３に燃料ガスを供給する燃料供給路１７には、これを開閉可能な２つの電磁弁１７ａ，１７ｂと、バーナ１３への燃料ガスの供給量を調整する燃料調整弁１７ｃとが取り付けられている。燃料調整弁１７ｃは、例えば比例弁や電動式の制御弁等により構成され得る。
【００２５】
上記構成の加熱装置１２では、燃焼ファン１６を作動させつつ、図示しない点火装置を作動させると共に、電磁弁１７ａ，１７ｂを開弁制御することで、バーナ１３が点火される。そして、バーナ１３の燃焼運転中に、燃料調整弁１７ｃを制御すると共に燃焼ファン１６の回転数を制御することで、バーナ１３への燃料及び燃焼用空気の供給量が調整され、ひいては、バーナ１３の燃焼量（火力）が調整される。また、電磁弁１７ａ，１７ｂの少なくとも一方を閉弁制御することで、バーナ１３への燃料供給が遮断され、ひいては、バーナ１３が消火される。
【００２６】
給水路１０の上流側は、図示しない給水源の配管に接続され、給水路１０の下流端が熱交換器１４の流入口に接続されている。また、給湯路１１の上流端が熱交換器１４の流出口に接続され、給湯路１１の下流側は、浴室、台所、洗面所等の複数の箇所に分岐され、それぞれの箇所に配置された各給湯対象部２０（図示例では水栓）に接続されている。なお、給湯対象部２０は、水栓に限らず、例えば食器洗浄機等の機器であってもよい。
【００２７】
さらに、給水路１０から熱交換器１４を経由させずに給湯路１１に給湯用水を通水させるためのバイパス路２１が給水路１０から分岐され、給湯路１１に合流されている。そして、熱交換器１４の通水流量と、バイパス路２１の通水流量との比率であるバイパス比を調整するためのバイパス比調整弁２２が給水路１０とバイパス路２１との接続部に組付けられている。該バイパス比調整弁２２は、例えば電動式の三方弁により構成される。なお、バイパス路２１及びバイパス比調整弁２２は省略されていてもよい。また、バイパス比調整弁は、例えば、給湯路１１とバイパス路２１との接続部に組付けられていてもよい。
【００２８】
また、給水路１０のうち、バイパス路２１との接続部よりも上流側の箇所には、給水路１０の通水流量を検出する流量センサ２３が組付けられている。また、給湯路１１のうち、バイパス路２１との接続部よりも上流側の箇所には、熱交換器１４から流出する給湯用水の温度を検出する温度センサ２４が組付けられ、バイパス路２１との接続部よりも下流側の箇所には、給湯対象部２０に供給される給湯用水の温度である給湯温度を検出する温度センサ２５が組付けられている。
【００２９】
給湯装置１は、さらに、熱源機２の運転制御を行う機能を有する制御装置３０と、熱源機２の運転に関する操作をユーザが行うための操作端末として台所や、浴室等に設置されるリモコン４０とを備える。また、本実施形態の給湯装置１では、スマートフォン、携帯電話、タブレット端末等の通信端末５０に所定のアプリケーションをインストールしておくことで、該通信端末５０を給湯装置１用の操作端末として使用することも可能である。
【００３０】
リモコン４０は、目標給湯温度の設定値等、熱源機２の運転に関する各種情報を表示する表示部４１と、複数の操作スイッチ等により構成される操作部４２と、表示部４１の表示制御等を行う機能を有するリモコン制御部４３とを備える。
【００３１】
表示部４１は、例えば液晶表示器、有機ＥＬ表示器、ＬＥＤ表示器等により構成される。また、操作部４２には、例えば、熱源機２のＯＮ／ＯＦＦを制御装置３０に指令するための運転スイッチ４２ａ、給湯路１１に残存する湯を使い切るために、加熱装置１２を作動させることなく（加熱装置１２による給湯用水の加熱を行うことなく）、給水路１０及び給湯路１１の通水（換言すれば、給湯対象部２０への給湯用水の供給）を行うことを可能とする動作モードである残湯利用モードのＯＮ／ＯＦＦを制御装置３０に指令するための使い切りスイッチ４２ｂ、目標給湯温度等を設定するための設定スイッチ４２ｃ等が含まれる。
【００３２】
なお、熱源機２のＯＮ状態は、残湯利用モードのＯＮ状態を除いて、給水路１０及び給湯路１１の通水に応じて熱源機２の給湯加熱運転が行われる状態を意味し、熱源機２のＯＦＦ状態は、加熱装置１２が定常的に作動停止状態に維持される状態を意味する。
【００３３】
また、残湯利用モードのＯＮ状態及びＯＦＦ状態は、それぞれ該残湯利用モードの有効状態、無効状態を意味する。残湯利用モードのＯＮ状態は、換言すれば、給湯対象部２０に供給する給湯用水を加熱装置１２により加熱することが禁止される状態であり、残湯利用モードのＯＦＦ状態は、換言すれば、給湯対象部２０に供給する給湯用水を加熱装置１２により加熱することが許可される状態である。
【００３４】
リモコン制御部４３は、例えばマイコン、メモリ、インターフェース回路、通信回路等を含む電子回路ユニットにより構成され、操作部４２の操作信号が入力されると共に、制御装置３０と通信（有線通信又は無線通信）を行うことが可能である。また、リモコン制御部４３は、前記所定のアプリケーション（以降、給湯操作用アプリケーションという）を起動した通信端末５０と無線通信を行うことも可能である。
【００３５】
そして、リモコン制御部４３は、実装されたハードウェア構成及びプログラム（ソフトウェア構成）の一方又は両方により実現される機能として、制御装置３０から与えられる熱源機２の作動状態や操作部４２の操作等に応じて表示部４１の表示制御を行う機能、操作部４２もしくは通信端末５０から与えられる操作情報を制御装置３０に送信する機能等を有する。
【００３６】
また、本実施形態では、リモコン４０は、表示部４１の表示に関するモードとして、熱源機２のＯＮ状態にて、目標給湯温度の設定値を表示する通常モードと、熱源機２のＯＮ状態でも給水路１０及び給湯路１１の通水が停止されている状況では、リモコン４０の電力消費の低減のために、表示部４１に目標給湯温度の設定値を表示をすることを行わないセーブモードとを有している。そして、リモコン制御部３０は、操作部４２の図示しない操作スイッチの操作や、制御装置３０からの指令等に応じて、リモコン４０の表示部４１での表示を、通常モードからセーブモードに切り替えることが可能である。
【００３７】
なお、図１では１つのリモコン４０だけを図示しているが、給湯装置１は、複数のリモコンを含み得る。また、リモコン４０は、表示部４１と操作部４２としての機能を併せもつタッチパネルを備えていてもよい。
【００３８】
通信端末５０は、あらかじめインストールした給湯操作用アプリケーションを起動することで、リモコン制御部４３と無線通信を行うことが可能であると共に、該通信端末５０に備えられたタッチパネル５１の操作、あるいは、該通信端末５０に対する音声入力等により、リモコン４０での操作（熱源機２の運転操作）と同様の操作を行うことが可能である。
【００３９】
制御装置３０は、例えばマイコン、メモリ、インターフェース回路、通信回路等を含む１つ以上の電子回路ユニットにより構成され、熱源機２に搭載されている。この制御装置３０は、熱源機２に備えられた各センサ（前記流量センサ２３、温度センサ２４，２５等）の検出信号が入力されると共に、リモコン４０と通信（有線通信又は無線通信）を行うことが可能である。
【００４０】
そして、制御装置３０は、実装されたハードウェア構成及びプログラム（ソフトウェア構成）により実現される機能として、熱源機２の加熱装置１２の作動制御（バーナ１３の燃焼運転の制御）を行う機能、バイパス比調整弁２２の作動制御を行う機能等を有する。この場合、加熱装置１２の作動制御は、前記燃焼ファン１６、電磁弁１７ａ，１７ｂ、燃料調整弁１７ｃ、及び図示しない点火装置の作動制御を通じて行われる。なお、制御装置３０は、前記給湯操作用アプリケーションを起動した通信端末５０と、リモコン４０を介さずに無線通信を行い得るように構成されていてもよい。
【００４１】
次に、本実施形態の給湯装置１の作動を説明する。本実施形態では、制御装置３０は、リモコン４０の運転スイッチ４２ａの操作、あるいは、通信端末５０の操作によって、熱源機２のＯＮ状態が指令された状態で、図２のフローチャートに示す処理を実行する。
【００４２】
ＳＴＥＰ１で、制御装置３０は、給水路１０及び給湯路１１の通水が有るか否かを、流量センサ２３により検出される通水流量に基づいて判断する処理を実行する。この場合、制御装置５０は、流量センサ２３による通水流量の検出値が所定値Ｗ１以上である場合に、通水が有ると判断し、通水流量の検出値が所定値Ｗ１に満たない場合には、通水が無いと判断する。そして、制御装置３０は、ＳＴＥＰ１の判断結果が否定的である場合（通水が無いと判断される場合）には、ＳＴＥＰ１の判断処理を逐次繰り返す。
【００４３】
給湯対象部２０としての水栓の開栓等により、給水路１０及び給湯路１１での通水（所定値Ｗ１以上の流量での通水）が開始されると、ＳＴＥＰ１の判断結果が肯定的になる。このとき、制御装置３０は、次にＳＴＥＰ２において、前記残湯利用モードがＯＮ状態であるか否かを判断する。該残湯利用モードは、図２のフローチャートの処理と並行して制御装置３０が実行する後述の処理によりＯＮ状態（有効状態）又はＯＦＦ状態（無効状態）に設定される動作モードである。
【００４４】
そして、ＳＴＥＰ２の判断結果が否定的である場合（残湯利用モードがＯＦＦ状態である場合）には、制御装置３０は、ＳＴＥＰ３において、給湯加熱運転を実行するように加熱装置１２の運転制御を行う。このＳＴＥＰ３では、制御装置３０は、加熱装置１２のバーナ１３を点火させた後、温度センサ２５により検出される給湯温度を、リモコン４０又は通信端末５０で設定された目標給湯温度に一致もしくはほぼ一致させるように、バーナ１３の燃焼量と前記バイパス比とを制御する。
【００４５】
より詳しくは、制御装置３０は、流量センサ２３による通水流量の検出値と、温度センサ２４，２５のそれぞれによる温度の検出値と、目標給湯温度とに基づいて、温度センサ２５により検出される実際の給湯温度を目標給湯温度に一致又はほぼ一致させるために必要なバーナ１３の目標燃焼量及び目標バイパス比を逐次決定する。そして、決定した目標燃焼量に応じて燃料調整弁１７ｃと燃焼ファン１６の回転数とを制御すると共に、決定した目標バイパス比に応じてバイパス比調整弁２２を制御する。
【００４６】
さらに、制御装置３０は、ＳＴＥＰ６において、給水路１０及び給湯路１１の通水が停止されたか否かを、流量センサ２３により検出される通水流量に基づいて判断する処理を実行する。この場合、制御装置５０は、流量センサ２３による通水流量の検出値が所定値Ｗ２以下に低下した場合に、通水が停止されたと判断し、通水流量の検出値が所定値Ｗ２を超えている場合には、通水が停止されていないと判断する。そして、制御総理３０は、ＳＴＥＰ６の判断結果が否定的である場合（通水が停止されていないと判断された場合）には、ＳＴＥＰ２からの処理を繰り返す。
【００４７】
また、ＳＴＥＰ２の判断結果が肯定的である場合（残湯利用モードがＯＮ状態である場合）には、制御装置３０は、次にＳＴＥＰ４において、給湯加熱運転を実行中であるか否か（バーナ１３の燃焼運転中であるか否か）を判断する。そして、このＳＴＥＰ４の判断結果が肯定的である場合（給湯加熱運転の実行中である場合）には、制御装置３０は、ＳＴＥＰ５において、給湯加熱運転を停止した上で、前記ＳＴＥＰ６の判断処理を実行する。この場合、ＳＴＥＰ５では、制御装置３０は、電磁弁１７ｂ、１７ｃの一方又は両方を閉弁制御することで、バーナ１３への燃料供給を遮断し、これにより、該バーナ１３を消火させる。
【００４８】
また、ＳＴＥＰ４の判断結果が否定的である場合（給湯加熱運転の実行中でない場合）には、バーナ１３を消火状態に維持したままで、前記ＳＴＥＰ６の判断処理を実行する。
【００４９】
給湯対象部２０を構成する水栓の閉栓等により、給水路１０及び給湯路１１での通水が停止されると（通水流量の検出値が所定値Ｗ２以下の微小な通水流量になる場合を含む）、ＳＴＥＰ６の判断結果が肯定的になる。このとき、制御装置３０は、次にＳＴＥＰ７において、給湯加熱運転の実行中であるか否か（バーナ１３の燃焼運転中であるか否か）を判断する。
【００５０】
そして、ＳＴＥＰ７の判断結果が肯定的である場合（給湯加熱運転の実行中である場合）には、制御装置３０は、次にＳＴＥＰ８において、前記ＳＴＥＰ５と同様にバーナ１３を消火することで、給湯加熱運転を停止した後、ＳＴＥＰ１からの処理を再開する。また、ＳＴＥＰ７の判断結果が否定的である場合（給湯加熱運転の実行中でない場合）には、制御装置３０は、バーナ１３を消火状態に維持したままで、ＳＴＥＰ１からの処理を再開する。
【００５１】
以上の処理により、残湯利用モードのＯＦＦ状態（無効状態）では、加熱装置１２による給湯用水の加熱が許可される状態であるので、給水路１０及び給湯路１１での通水（所定値Ｗ１以上の流量での通水）が行われると、該通水に応じて加熱装置１２が作動する（バーナ３の燃焼運転が行われる）。
【００５２】
例えば図４Ａの時刻ｔ２以前もしくは時刻ｔ３以後の期間、あるいは、図４Ｂの時刻ｔ７以前もしくは時刻ｔ９以後の期間では、残湯利用モードがＯＦＦ状態であるので、給水路１０及び給湯路１１の通水が行われると、加熱装置１２が作動する（バーナ１３の燃焼運転が行われる）。そして、バーナ１３の燃焼運転により、給水路１０から給湯路１１に流れる給湯用水が、目標給湯温度に一致もしくはほぼ一致する温度に加熱され、この加熱された給湯用水がいずれかの給湯対象部２０に供給される。
【００５３】
なお、図４Ａ及び図４Ｂの第１段目（最上段）のグラフは、それぞれ、給水路１０及び給湯路１１の通水の有無の変化パターンを例示し、第２段目のグラフは、それぞれ、残湯利用モードのＯＮ／ＯＦＦの変化パターンを例示し、第３段目のグラフは、それぞれ、加熱装置１２の作動の有無の変化パターンを例示している。
【００５４】
また、残湯利用モードのＯＮ状態（有効状態）では、加熱装置１２による給湯用水の加熱が禁止される状態であるので、給水路１０及び給湯路１１での通水（所定値Ｗ１以上の流量での通水）を行っても、加熱装置１２は作動停止状態に維持される（バーナ１３の燃焼運転が実行されない）。
【００５５】
例えば図４Ａの時刻ｔ２〜ｔ３の期間、あるいは、図４Ｂの時刻ｔ７〜ｔ９の期間では、残湯利用モードがＯＮ状態であるので、給水路１０及び給湯路１１の通水が行われても、加熱装置１２が作動（バーナ１３の燃焼運転）が停止され、もしくは停止状態に維持される。
【００５６】
この場合、給湯路１１に、前回の給湯加熱運転時に加熱された給湯用水（湯）が残存している場合には、給湯対対象部２０への通水の開始直後は、バーナ１３の燃焼運転が実行されなくとも、給湯路１１に残存している残湯が給湯対象部２０に供給される。これにより該残湯が有効利用される。
【００５７】
制御装置３０は、図２のフローチャートに示す処理を上記の如く実行することと並行して、図３のフローチャートに示す処理を実行することで、残湯利用モードのＯＮ／ＯＦＦ設定を行う。
【００５８】
具体的には、ＳＴＥＰ１１において、制御装置３０は、いずれかのリモコン４０又は通信端末５０（前記給湯操作用アプリケーションを起動した状態の通信端末５０）で残湯利用モードのＯＮ操作（残湯利用モードをＯＮ状態にする操作）がなされたか否かを判断する。そして、ＳＴＥＰ１１の判断結果が否定的である場合には、制御装置３０は、ＳＴＥＰ１１の判断処理を逐次繰り返す。
【００５９】
ユーザが給湯路１１に残存している湯を使い切ることを希望する場合、該ユーザは、いずれかのリモコン４０又は通信端末５０で残湯利用モードのＯＮ操作を行う。なお、該ＯＮ操作の実行タイミングは、給水路１０及び給湯路１１での通水中のタイミングと、通水停止中のタイミングとのいずれのタイミングでもよい。
【００６０】
そして、残湯利用モードのＯＮ操作がなされると、ＳＴＥＰ１１の判断結果が肯定的になる。このとき、制御装置３０は、ＳＴＥＰ１２において、残湯利用モードをＯＮ状態（有効状態）にすると共に、いずれかの給湯対象部２０への給湯用水の供給回数である給湯回数のカウントを開始する。
【００６１】
ここで、本実施形態では、前記ＳＴＥＰ１の判断結果が肯定的になってから（通水が有ると判断してから）、前記ＳＴＥＰ６の判断結果が肯定的になるまで（通水が停止したと判断するまで）の給水路１０及び給湯路１１の通水を１回分の給湯とみなして、給湯回数をカウントする。すなわち、前記ＳＴＥＰ６の判断結果が肯定的になる毎に、給湯回数を１づつ、増加させていくように、給湯回数をカウントする。
【００６２】
従って、例えば図４Ａのタイミングチャートで示す如く、給水路１０及び給湯路１１の通水中のタイミング（時刻ｔ２）で、残湯利用モードのＯＮ操作がなされた場合には、通水の停止時（時刻ｔ３）に給湯回数が１回目としてカウントされる。また、例えば図４Ｂのタイミングチャートで示す如く、給水路１０及び給湯路１１の通水の停止中のタイミング（時刻ｔ７）で、残湯利用モードのＯＮ操作がなされた場合には、その後、通水が開始された後（時刻ｔ８以後）、該通水が停止されたとき（時刻ｔ９）に給湯回数が１回目としてカウントされる。
【００６３】
次いで、ＳＴＥＰ１３において、制御装置３０は、給湯回数が所定回数Ｎ１に達したか否かを判断する。この場合、所定回数Ｎ１は、ユーザがあらかじめリモコン４０又は通信端末５０の所定の操作を行うことで、所定範囲内で所望の値に設定することが可能である。なお、本実施形態では、ＳＴＥＰ１３の判断結果が肯定的になることが、本発明における所定の解除条件に相当する。
【００６４】
ＳＴＥＰ１３の判断結果が否定的である場合（給湯回数＜Ｎ１である場合）には、制御装置３０は、さらにＳＴＥＰ１４において、いずれかのリモコン４０又は通信端末５０で残湯利用モードのＯＦＦ操作（残湯利用モードをＯＦＦ状態にする操作）がなされたか否かを判断する。
【００６５】
このＳＴＥＰ１４の判断結果が否定的である場合（残湯利用モードのＯＦＦ操作がなされていない場合）には、制御装置３０はＳＴＥＰ１３からの処理を繰り返す。
【００６６】
そして、ＳＴＥＰ１３の判断結果が肯定的になった場合（給湯回数≧Ｎ１になった場合）には、制御装置３０は、次にＳＴＥＰ１５において、リモコン４０の前記セーブモードをＯＮ状態（有効状態）にする（リモコン４０の表示部４１の表示を通常モードからセーブモードに切り替える）ように各リモコン制御部４３に指令する。
【００６７】
このとき、リモコン４０のリモコン制御部４３は、リモコン４０を表示部４１の表示制御をセーブモードで実行する。これにより、給水路１０及び給湯路１１の通水停止状態では、各リモコン４０の表示部４１には目標給湯温度の設定値が表示されなくなる。
【００６８】
制御装置３０は、上記ＳＴＥＰ１５の処理に続いて、ＳＴＥＰ１６において、残湯利用モードをＯＦＦ状態に切り替えると共に、給湯回数のカウント値をゼロにリセットする。その後、制御装置３０は、ＳＴＥＰ１１からの処理を再開する。また、制御装置３０は、前記ＳＴＥＰ１３の判断結果が肯定的になる前にＳＴＥＰ１４の判断結果が肯定的になった場合（残湯利用モードのＯＦＦ操作がなされた場合）にも、上記ＳＴＥＰ１６の処理を実行し、さらに、ＳＴＥＰ１１からの処理を再開する。
【００６９】
以上の処理により、ユーザが、給湯路１１に残存する湯を使い切るために、リモコン４０又は通信端末５０で残湯利用モードのＯＮ操作を行うと、熱源機２の動作モードとして残湯利用モードがＯＮ状態になる。そして、この残湯利用モードのＯＮ状態では、給水路１０及び給湯路１１の通水を行っても、加熱装置１２が作動しない（バーナ１３の燃焼運転が行われない）ので、ユーザは、熱源機２をＯＮ状態に維持したままで、加熱装置１２を作動させることなく、給湯路１１に残存する湯を有効利用することができる。
【００７０】
その後は、ユーザが、残湯利用モードのＯＦＦ操作を行わずに放置した場合であっても、給湯回数のカウント値が所定回数Ｎ１に達すると、制御装置３０は自動的に残湯利用モードをＯＦＦ状態に復帰させる。
【００７１】
例えば、上記所定回数Ｎ１を「１」に設定した場合において、図４Ａ又は図４Ｂに例示する如く、ユーザが残湯利用モードのＯＮ操作を行った後、残湯利用モードのＯＦＦ操作を行わずとも、１回目の給湯（通水）が終了すると（図４Ａでは時刻ｔ３、図４Ｂでは時刻ｔ９）、残湯利用モードが自動的にＯＮ状態からＯＦＦ状態に切り替わる。従って、その後、給水路１０及び給湯路１１での通水を開始すると（図４Ａでは時刻ｔ４、図４Ｂでは時刻ｔ１０）、加熱装置１２が作動して、給湯用水の加熱が行われる。ひいては、加熱装置１２により目標給湯温度に一致もしくはほぼ一致する温度に加熱された給湯用水が給湯対象部２０に供給されるようになる。
【００７２】
このように、ユーザが給湯路１１の残湯を利用した後に、残湯利用モードのＯＦＦ操作を行わずとも、残湯利用モードを自動的にＯＦＦ状態に復帰させることができる。このため、ユーザが、熱源機２の給湯加熱運転を実行させるべく、給水路１０及び給湯路１１の通水を再開したときに、残湯利用モードがＯＮ状態になったままになっているのを防止することができ、ひいては、加熱されていない給湯用水が給湯対象部２０に供給されてしまうのを防止することができる。従って、給湯装置１の利便性を高めることができる。
【００７３】
また、ＳＴＥＰ１３の判断結果が肯定的になった場合は、その後、しばらくは、給水路１０及び給湯路１１での通水による熱源機２の給湯加熱運転の実行が要求されない可能性が高い。このため、本実施形態では、ＳＴＥＰ１５の処理により、リモコン４０のセーブモードをＯＮ状態にする。これにより、リモコン４０のセーブモードを適切なタイミングで自動的にＯＮ状態にすることができる。
【００７４】
［第２実施形態］
次に、本発明の第２実施形態を図５及び図６を参照して説明する。なお、本実施形態は前記第１実施形態と一部の制御処理だけが相違するものであるので、第１実施形態と同一の事項については説明を省略する。
【００７５】
本実施形態では、制御装置３０は、残湯利用モードのＯＮ／ＯＦＦの設定を図５のフローチャートに示す如く実行する。具体的には、ＳＴＥＰ２１において、制御装置３０は、前記ＳＴＥＰ１１と同様に、残湯利用モードのＯＮ操作がなされたか否かを判断する処理を、その判断結果が肯定的になるまで逐次繰り返す。
【００７６】
そして、ＳＴＥＰ２１の判断結果が肯定的になると（残湯利用モードのＯＮ操作がなされると）、制御装置３０は、ＳＴＥＰ２２において、残湯利用モードをＯＮ状態（有効状態）にすると共に、残湯利用モードがＯＮ状態になってからの経過時間の計時を開始する。
【００７７】
次いで、ＳＴＥＰ２３において、制御装置３０は、経過時間が所定時間ｔ１に達したか否かを判断する。この場合、所定時間ｔ１は、ユーザがあらかじめリモコン４０又は通信端末５０の所定の操作を行うことで、所定範囲内で所望の時間に設定することが可能である。なお、本実施形態では、このＳＴＥＰ２３の判断結果が肯定的になることが、本発明における所定の解除条件に相当する。
【００７８】
ＳＴＥＰ２３の判断結果が否定的である場合（経過時間＜ｔ１である場合）には、制御装置装置３０は、さらにＳＴＥＰ２４において、いずれかのリモコン４０又は通信端末５０で残湯利用モードのＯＦＦ操作がなされたか否かを判断する。
【００７９】
このＳＴＥＰ２４の判断結果が否定的である場合（残湯利用モードのＯＦＦ操作がなされていない場合）には、制御装置３０はＳＴＥＰ２３からの処理を繰り返す。
【００８０】
そして、ＳＴＥＰ２３の判断結果が肯定的になった場合（経過時間≧ｔ１になった場合）には、制御装置３０は、次にＳＴＥＰ２５において、リモコン５０のセーブモードをＯＮ状態（有効状態）にするように各リモコン制御部４３に指令する。これにより、給水路１０及び給湯路１１の通水停止状態では、各リモコン４０の表示部４１には目標給湯温度の設定値が表示されなくなる。
【００８１】
制御装置３０は、上記ＳＴＥＰ２５の処理に続いて、ＳＴＥＰ２６において、残湯利用モードをＯＦＦ状態に切り替えると共に、経過時間の計時値をゼロにリセットする。その後、制御装置３０は、ＳＴＥＰ２１からの処理を再開する。また、制御装置３０は、前記ＳＴＥＰ２３の判断結果が肯定的になる前にＳＴＥＰ２４の判断結果が肯定的になった場合（残湯利用モードのＯＦＦ操作がなされた場合）にも、上記ＳＴＥＰ２６の処理を実行し、さらに、ＳＴＥＰ２１からの処理を再開する。本実施形態は、以上説明した事項以外は、前記第１実施形態と同じである。
【００８２】
以上の処理により、ユーザは、第１実施形態と同様に、残湯利用モードをＯＮ状態にすることで、熱源機２をＯＮ状態に維持したままで、加熱装置１２を作動させることなく、給湯路１１に残存する湯を有効利用することができる。
【００８３】
その後は、ユーザが、残湯利用モードのＯＦＦ操作を行わずに放置した場合であっても、残湯利用モードのＯＮ状態での経過時間が所定時間ｔ１に達すると、制御装置３０は自動的に残湯利用モードをＯＦＦ状態に復帰させる。
【００８４】
例えば、図６に例示する如く、ユーザが残湯利用モードのＯＮ操作を行った後、残湯利用モードのＯＦＦ操作を行わずとも、経過時間が所定時間ｔ１に達すると（時刻ｔ１５）、残湯利用モードが自動的にＯＮ状態からＯＦＦ状態に切り替わる。
【００８５】
従って、その後、給水路１０及び給湯路１１での通水を開始すると（図６では時刻ｔ１６）、加熱装置１２が作動して、給湯用水の加熱が行われる。ひいては、加熱装置１２により目標給湯温度に一致もしくはほぼ一致する温度に加熱された給湯用水が給湯対象部２０に供給されるようになる。
【００８６】
なお、図６の第１段目（最上段）のグラフ、第２段目のグラフは、第３段目のグラフは、それぞれ、給水路１０及び給湯路１１の通水の有無の変化パターン、残湯利用モードのＯＮ／ＯＦＦの変化パターン、加熱装置１２の作動の有無の変化パターンを例示している。また、図６は、給水路１０及び給湯路１１の通水中に、残湯利用モードのＯＮ操作を行った場合を例示しているが、通水の停止中に、残湯利用モードのＯＮ操作を行った場合でも、経過時間が所定時間ｔ１に達すると、上記と同様に残湯利用モードが自動的にＯＮ状態からＯＦＦ状態に切り替わる。
【００８７】
このように、本実施形態でも、ユーザが給湯路１１の残湯を利用した後に、残湯利用モードのＯＦＦ操作を行わずとも、残湯利用モードを自動的にＯＦＦ状態に復帰させることができる。このため、第１実施形態と同様に、ユーザが、熱源機２の給湯加熱運転を実行させるべく、給水路１０及び給湯路１１の通水を再開したときに、残湯利用モードがＯＮ状態になったままになっているのを防止することができ、ひいては、加熱されていない給湯用水が給湯対象部２０に供給されてしまうのを防止することができる。従って、給湯装置１の利便性を高めることができる。
【００８８】
また、本実施形態では、残湯利用モードのＯＮ操作がなされた後、給水路１０及び給湯路１１の通水の有無によらずに、所定時間ｔ１が経過すると、残湯利用モードが自動的にＯＦＦ状態に復帰する。このため、例えば、通水停止中に残湯利用モードのＯＮ操作がなされた後、ユーザが残湯の利用を取り止め、もしくは失念すること等に起因して、通水停止状態が維持された場合でも、所定時間ｔ１が経過すれば、残湯利用モードを自動的にＯＦＦ状態に復帰させることができる。このことによっても、給湯装置１の利便性を高めることができる。
【００８９】
また、ＳＴＥＰ２３の判断結果が肯定的になった場合に、ＳＴＥＰ２５の処理により、リモコン４０のセーブモードをＯＮ状態にすることで、第１実施形態と同様に、リモコン４０のセーブモードを適切なタイミングで自動的にＯＮ状態にすることができる。
【００９０】
なお、本実施形態では、残湯利用モードのＯＮ状態での給水路１０及び給湯路１１の通水中に、経過時間が所定時間ｔ１に達すると、残湯利用モードがＯＦＦ状態になるため、加熱装置１２の作動が開始する。ただし、例えば、残湯利用モードのＯＮ状態での給水路１０及び給湯路１１の通水中に、経過時間が所定時間ｔ１に達した場合には、該通水が停止するまで、残湯利用モードをＯＮ状態に維持するようにしてもよい。すなわち、ＳＴＥＰ２３において、経過時間≧ｔ１という条件と、給水路１０及び給湯路１１の通水が停止ているという条件との両方が成立するか否かを判断し、その判断結果が肯定的になる場合に、ＳＴＥＰ２５，２６の処理を実行するようにしてもよい。
【００９１】
［第３実施形態］
次に、本発明の第３実施形態を図７及び図８を参照して説明する。なお、本実施形態は前記第１実施形態と一部の制御処理だけが相違するものであるので、第１実施形態と同一の事項については説明を省略する。
【００９２】
本実施形態では、制御装置３０は、残湯利用モードのＯＮ／ＯＦＦの設定を図７のフローチャートに示す如く実行する。具体的には、ＳＴＥＰ３１において、制御装置３０は、前記ＳＴＥＰ１１と同様に、残湯利用モードのＯＮ操作がなされたか否かを判断する処理を、その判断結果が肯定的になるまで逐次繰り返す。
【００９３】
そして、ＳＴＥＰ３１の判断結果が肯定的になると（残湯利用モードのＯＮ操作がなされると）、制御装置３０は、ＳＴＥＰ３２において、残湯利用モードをＯＮ状態（有効状態）にすると共に、残湯利用モードがＯＮ状態になってからの給水路１０及び給湯路１１の通水流量の積算（給湯対象部２０への給湯用水の供給量の積算）を開始する。この場合、流量センサ２３による通水流量の検出値（所定のサンプリング周期での検出値）と該サンプリング周期との積、すなわち、サンプリング周期の時間内での給湯対象部２０への給湯用水の供給量を累積加算することで、通水流量の積算値（給湯対象部２０への給湯用水の供給量の積算値）が算出される。
【００９４】
次いで、ＳＴＥＰ３３において、制御装置３０は、通水流量の積算値が所定値Ｉｗ１に達し、且つ、給水路１０及び給湯路１１の通水（給湯対象部２０の給湯用水の供給）が停止しているという条件が成立するか否かを判断する。この場合、上記所定値Ｉｗ１は、ユーザがあらかじめリモコン４０又は通信端末５０の所定の操作を行うことで、所定範囲内で所望の値に設定することが可能である。
【００９５】
あるいは、給湯路１１が保有する給湯用水の水量（具体的には、熱源機２からいずれかの給湯対象部２０までの給湯路１１が保有する給湯用水の水量、もしくは、熱源機２から各給湯対象部２０までの給湯路１１が保有する給湯用水の水量の平均値等）を、給湯装置１の設置時等に推定しておき、その水量（体積）の推定値を所定値Ｉｗ１として設定してもよい。なお、本実施形態では、このＳＴＥＰ３３の判断結果が肯定的になることが、本発明における所定の解除条件に相当する。
【００９６】
ＳＴＥＰ３３の判断結果が否定的である場合（通水流量の積算値＜Ｉｗ１であるか、又は、給水路１０及び給湯路１１の通水中である場合）には、制御装置装置３０は、さらにＳＴＥＰ３４において、いずれかのリモコン４０又は通信端末５０で残湯利用モードのＯＦＦ操作がなされたか否かを判断する。
【００９７】
このＳＴＥＰ３４の判断結果が否定的である場合（残湯利用モードのＯＦＦ操作がなされていない場合）には、制御装置３０はＳＴＥＰ３３からの処理を繰り返す。
【００９８】
そして、ＳＴＥＰ３３の判断結果が肯定的になった場合（通水流量の積算値≧Ｉｗ１になり、且つ、給水路１０及び給湯路１１の通水が停止されている場合）には、制御装置３０は、次にＳＴＥＰ３５において、リモコン５０のセーブモードをＯＮ状態（有効状態）にするように各リモコン制御部４３に指令する。これにより、給水路１０及び給湯路１１の通水停止状態では、各リモコン４０の表示部４１には目標給湯温度の設定値が表示されなくなる。
【００９９】
制御装置３０は、上記ＳＴＥＰ３５の処理に続いて、ＳＴＥＰ３６において、残湯利用モードをＯＦＦ状態に切り替えると共に、通水流量の積算値をゼロにリセットする。その後、制御装置３０は、ＳＴＥＰ３１からの処理を再開する。また、制御装置３０は、前記ＳＴＥＰ３３の判断結果が肯定的になる前にＳＴＥＰ３４の判断結果が肯定的になった場合（残湯利用モードのＯＦＦ操作がなされた場合）にも、上記ＳＴＥＰ３６の処理を実行し、さらに、ＳＴＥＰ３１からの処理を再開する。本実施形態は、以上説明した事項以外は、前記第１実施形態と同じである。
【０１００】
以上の処理により、ユーザは、第１実施形態と同様に、残湯利用モードをＯＮ状態にすることで、熱源機２をＯＮ状態に維持したままで、加熱装置１２を作動させることなく、給湯路１１に残存する湯を有効利用することができる。
【０１０１】
その後は、ユーザが、残湯利用モードのＯＦＦ操作を行わずに放置した場合であっても、残湯利用モードのＯＮ状態での通水流量の積算値が所定値Ｉｗ１に達すると共に、給水路１０及び給湯路１１の通水が停止されると、制御装置３０は自動的に残湯利用モードをＯＦＦ状態に復帰させる。
【０１０２】
例えば、図８に例示する如く、ユーザが残湯利用モードのＯＮ操作を行った後、残湯利用モードのＯＦＦ操作を行わずとも、通水流量の積算値が所定値Ｉｗ１に達し（時刻ｔ２５）、さらに、給水路１０及び給湯路１１の通水が停止されると（時刻ｔ２６）、残湯利用モードが自動的にＯＮ状態からＯＦＦ状態に切り替わる。
【０１０３】
従って、その後、給水路１０及び給湯路１１での通水を開始すると（図８では時刻ｔ２７）、加熱装置１２が作動して、給湯用水の加熱が行われる。ひいては、加熱装置１２により目標給湯温度に一致もしくはほぼ一致する温度に加熱された給湯用水が給湯対象部２０に供給されるようになる。
【０１０４】
なお、図８の第１段目（最上段）のグラフ、第２段目のグラフは、第３段目のグラフ、第４段目のグラフは、それぞれ、給水路１０及び給湯路１１の通水の有無の変化パターン、通水流量の積算値の変化パターン、残湯利用モードのＯＮ／ＯＦＦの変化パターン、加熱装置１２の作動の有無の変化パターンを例示している。また、図８は、給水路１０及び給湯路１１の通水中に、残湯利用モードのＯＮ操作を行った場合を例示しているが、通水の停止中に、残湯利用モードのＯＮ操作を行った場合でも、その後、通水流量の積算値が所定値Ｉｗ１に達すると共に、給水路１０及び給湯路１１の通水が停止されると、上記と同様に残湯利用モードが自動的にＯＮ状態からＯＦＦ状態に切り替わる。
【０１０５】
このように、本実施形態でも、ユーザが給湯路１１の残湯を利用した後に、残湯利用モードのＯＦＦ操作を行わずとも、残湯利用モードを自動的にＯＦＦ状態に復帰させることができる。このため、第１実施形態と同様に、ユーザが、熱源機２の給湯加熱運転を実行させるべく、給水路１０及び給湯路１１の通水を再開したときに、残湯利用モードがＯＮ状態になったままになっているのを防止することができ、ひいては、加熱されていない給湯用水が給湯対象部２０に供給されてしまうのを防止することができる。従って、給湯装置１の利便性を高めることができる。
【０１０６】
また、ＳＴＥＰ３３の判断結果が肯定的になった場合に、ＳＴＥＰ３５の処理により、リモコン４０のセーブモードをＯＮ状態にすることで、第１実施形態と同様に、リモコン４０のセーブモードを適切なタイミングで自動的にＯＮ状態にすることができる。
【０１０７】
［第４実施形態］
次に、本発明の第４実施形態を図９を参照して説明する。なお、本実施形態は、残湯利用モードのＯＮ／ＯＦＦの設定処理のうちの一部の処理だけが前記第１実施形態又は第２実施形態又は第３実施形態と相違するものであるので、第１実施形態又は第２実施形態又は第３実施形態と同一の事項については説明を省略する。
【０１０８】
本実施形態では、制御装置３０は、残湯利用モードのＯＮ／ＯＦＦの設定を図９のフローチャートに示す如く実行する。具体的には、ＳＴＥＰ４１において、制御装置３０は、前記ＳＴＥＰ１１と同様に、残湯利用モードのＯＮ操作がなされたか否かを判断する処理を、その判断結果が肯定的になるまで逐次繰り返す。
【０１０９】
そして、ＳＴＥＰ４１の判断結果が肯定的になると（残湯利用モードのＯＮ操作がなされると）、制御装置３０は、ＳＴＥＰ４２において、給湯路１１に、加熱装置１２による加熱によって温められた残湯（目標給湯温度との温度差が比較的小さい給湯用水）が残っているか否かを推定する判断処理を実行する。このＳＴＥＰ４２では、制御装置３０は、例えば、熱源機２の給湯加熱運転の実行中であるか否か、あるいは、給湯加熱運転の実行停止後の経過時間が所定時間以下であるか否か、あるいは、前記温度センサ２５による給湯温度の検出値や、給湯対象部２０もしくはその近辺での給湯路１１内の給湯用水の温度を検出し得るように設けられた温度センサによる温度検出値が所定温度以上であるか否か等によって、給湯路１１に残湯が残っているか否かを推定する。
【０１１０】
そして、制御装置３０は、このＳＴＥＰ４２の判断結果が肯定的である場合（給湯路１１に残湯が残っていると推定される場合）に、前記ＳＴＥＰ１２又はＳＴＥＰ２２又はＳＴＥＰ３２で残湯利用モードをＯＮ状態にする。また、ＳＴＥＰ４２の判断結果が否定的である場合（給湯路１１に残湯が残っていないと推定される場合）には、制御装置３０は、残湯利用モードをＯＮ状態にすることなく、ＳＴＥＰ４１からの処理を繰り返す。なお、この場合、残湯が残っていない旨の報知をリモコン４０又は通信端末５０で行うようにしてもよい。
【０１１１】
本実施形態は、以上説明した事項以外は、前記第１〜第３実施形態のいずれかと同じである。かかる本実施形態によれば、ユーザが残湯利用モードのＯＮ操作を実行しても、給湯路１１に残湯が残っていないことが推定される状況（換言すれば、給湯路１１内の給湯用水が既に冷えていることが推定される状況）では、残湯利用モードがＯＮ状態に設定されない。このため、残湯利用モードのＯＮ操作後の給水路１０及び給湯路１１の通水時には、直ちに熱源機２の給湯加熱運転が開始して、加熱された温かい給湯用水を給湯対象部２０に供給することができる。
【０１１２】
なお、以上説明した各実施形態では、熱源機２の加熱装置１２は、燃焼式の加熱装置であるが、熱源機の加熱装置は電気式の加熱装置（電気エネルギーを熱エネルギーに変換する加熱装置）であってもよい。
【０１１３】
また、前記各実施形態では、前記ＳＴＥＰ１３又は２３又は３３の判断結果が肯定的になったときに、リモコン３０のセーブモードを自動的にＯＮ状態にするようにしたが、かかる処理（前記ＳＴＥＰ１５、２５，３５の処理）を省略してもよい。
【０１１４】
また、前記第１〜第３実施形態では、残湯利用モードのＯＮ／ＯＦＦの設定を各別の処理により行うようにしたが、それぞれの処理を複合させた処理により、残湯利用モードのＯＮ／ＯＦＦの設定を行うようにしてもよい。例えば、前記ＳＴＥＰ１３又は２３又は３３のいずれかの判断結果が肯定的になった場合に、残湯利用モードをＯＮ状態からＯＦＦ状態に切り替えるようにしてもよい。このことは、前記第４実施形態でも同様である。
【０１１５】
また、前記各実施形態では、図２のフローチャートに示す処理と、図３又は図５又は図７又は図９のフローチャートに示す処理とを制御装置３０により実行するようにしたが、これらの処理の一部を、例えばいずれかのリモコン４０のリモコン制御部４３で実行することも可能である。例えば、図３又は図５又は図７又は図９のフローチャートに示す処理を、いずれかのリモコン４０のリモコン制御部４３で実行するようにしてもよい。
【０１１６】
また、本発明における操作端末は、前記リモコン４０又は通信端末５０に限らず、例えば、残湯利用モードのＯＮ／ＯＦＦ設定用の操作スイッチ等、リモコン４０の操作部４２の一部の操作スイッチと同様の機能を有する操作スイッチを備える携帯型のリモコン等であってもよい。
【符号の説明】
【０１１７】
１…給湯装置、２…熱源機、１１…給湯路、２０…給湯対象部、３０…制御装置、４０…リモコン（操作端末）、５０…通信端末（操作端末）。
【図１】
2020186886.tif 000003
【図２】
2020186886.tif 000004
【図３】
2020186886.tif 000005
【図４】
2020186886.tif 000006
【図５】
2020186886.tif 000007
【図６】
2020186886.tif 000008
【図７】
2020186886.tif 000009
【図８】
2020186886.tif 000010
【図９】
2020186886.tif 000011